(57)【要約】【課題】二度打ちが発生しないようキャッチャーを確実に静止することができ、かつ、キャッチャーが当接する当接面の耐久性を向上することができるバックチェックを提供する。【解決手段】バックチェック３０では、キャッチャー２０が打弦後に当接して当接面上を滑って移動し当接面の移動防止部位３４までくると、この移動防止部位３４が窪んで、この窪みにキャッチャー２０が入り、キャッチャー２０の上下方向への移動が阻止される。従って、このバックチェック３０を用いると、キャッチャー２０の上下方向への移動が、移動防止部位３４の窪みに入ることで阻止されるので、二度打ちが発生しないようキャッチャー２０を確実に静止することができる。【選択図】図２
2012208407.tif 000002
【特許請求の範囲】
【請求項１】
バットフレンジに回動可能に取り付けられたバット、該バットに固定されたハンマー、前記バットに固定されたキャッチャー、押鍵時に、鍵に突き上げられて上方に回動するウィッペン、及び、押鍵時に前記ウィッペンに突き上げられて、前記バットを突き上げて回動させるジャックを有するアップライトピアノのアクションに備えられ、押鍵時に前記バットとともに回動したハンマーが打弦を行った後、押鍵時とは反対方向に回動するときに前記キャッチャーに当接して、前記ハンマーの回動を止めるバックチェックであって、
前記キャッチャーが当接する当接面が面一に形成され、
前記当接面のうち、上下の部位の間の中央部に、これら上下の部位よりも柔らかい硬度で形成され、打弦後の前記キャッチャーが当接すると窪んで、この窪みに入った前記キャッチャーの上下方向の移動を防止する移動防止部位が形成されている
ことを特徴とするバックチェック。
【請求項２】
請求項１に記載のバックチェックにおいて、
前記バックチェックは、前記キャッチャーが当接する側の面にフェルトが積層され、
前記当接面は、前記フェルトが前記キャッチャーに対向する側の面であることを特徴とするバックチェック。
【請求項３】
請求項１，２のいずれか１項に記載のバックチェックにおいて、
前記移動防止部位が形成する窪みは、前記キャッチャーに対して遊びを有する大きさであることを特徴とするバックチェック。
【発明の詳細な説明】
【技術分野】
【０００１】
本発明は、アップライトピアノのバックチェックに関する。
【背景技術】
【０００２】
アップライトピアノでは、打弦後のハンマーを停止させるため、ハンマーと伴に回動するバットに取り付けられたキャッチャーをバックチェックに当接させている。
このときキャッチャーは、バックチェックの当接面上を、上方から下方に滑りながら当接する。そのため、キャッチャーがバックチェックに当接しても、ハンマーはすぐには停止しない。
【０００３】
そこで、従来のアップライトピアノでは、バックチェックの当接面の下部に突起を設け、この突起にキャッチャーを当接させることで、ハンマーを停止させている（例えば、特許文献１）。
【先行技術文献】
【特許文献】
【０００４】
【特許文献１】特開２００６−１７１５７５号公報
【発明の概要】
【発明が解決しようとする課題】
【０００５】
しかし、打弦後のキャッチャーは、バックチェックに当たって上方に移動することもあり、この上方への移動が発生すると、１回の押鍵でハンマーが弦に２度当たる、いわゆる二度打ちが発生することが考えられる。
【０００６】
そのため、二度打ちを防止する対策として、バックチェックの当接面のうち上部にも突起を設けることも考えられるが、この突起にキャッチャーが当たって二度打ちがなされることも考えられる。
【０００７】
また、バックチェックのキャッチャーに対向する側にはフェルトが積層され、上述した当接面及び突起はこのフェルトによって形成されているが、上述した突起を設けると、突起の頂部にキャッチャーが触れてこすれ、フェルトの耐久性が低下することが懸念される。
【０００８】
そこで、本発明では、二度打ちが発生しないようキャッチャーを確実に静止することができ、かつ、キャッチャーが当接する当接面の耐久性を向上することができるバックチェックを提供することを目的とする。
【課題を解決するための手段】
【０００９】
上記目的を達成するためになされた請求項１に記載の発明は、バットフレンジに回動可能に取り付けられたバット、該バットに固定されたハンマー、前記バットに固定されたキャッチャー、押鍵時に、鍵に突き上げられて上方に回動するウィッペン、及び、押鍵時に前記ウィッペンに突き上げられて、前記バットを突き上げて回動させるジャックを有するアップライトピアノのアクションに備えられ、押鍵時に前記バットとともに回動したハンマーが打弦を行った後、押鍵時とは反対方向に回動するときに前記キャッチャーに当接して、前記ハンマーの回動を止めるバックチェックであって、前記キャッチャーが当接する当接面が面一に形成され、前記当接面のうち、上下の部位の間の中央部に、これら上下の部位よりも柔らかい硬度で形成され、打弦後の前記キャッチャーが当接すると窪んで、この窪みに入った前記キャッチャーの上下方向の移動を防止する移動防止部位が形成されていることを特徴とする。
【００１０】
このバックチェックでは、打弦後のキャッチャーが当接面に当接し、当接面上を滑って移動して移動防止部位までくると、この移動防止部位が窪んで、この窪みにキャッチャーが入り、キャッチャーの上下方向への移動が阻止される。
【００１１】
従って、本発明のバックチェックを用いると、キャッチャーが移動防止部位の窪みに入ることで上下方向への移動が阻止されるので、二度打ちが発生しないようキャッチャーを確実に静止することができる。
【００１２】
また、本発明のように構成すると、当接面が面一に形成されているので、当接面に突起を設けた場合に比べて、当接面の耐久性を向上することができる。
尚、請求項２に記載したように、バックチェックは、キャッチャーが当接する側の面にフェルトが積層されていることが多い。この場合、当接面は、フェルトがキャッチャーに対向する側の面となるので、このフェルトに移動防止部位を形成するとよい。
【００１３】
次に、請求項３に記載したように、請求項１，２のいずれか１項に記載のバックチェックにおいて、移動防止部位が形成する窪みは、キャッチャーに対して遊びを有する大きさであることが好ましい。
【００１４】
移動防止部位が形成する窪みの大きさがキャッチャーと同じ大きさだと、キャッチャーが移動防止部位に到達しても移動防止部位を窪ませることなく通り過ぎてしまうことが考えられる。
【００１５】
また、移動防止部位が形成する窪みがキャッチャーに比較して大きすぎると、移動防止部位と他の部位との間に形成された段差の部分にキャッチャーが当接した後、移動防止部位からキャッチャーが飛び出してしまい、キャッチャーの移動を防止できないこともあり得る。
【００１６】
しかし、本発明のように構成すると、キャッチャーが窪みに入ることで、移動防止部位が構成する窪みに摘まれたような状態で固定されるので、キャッチャーの上下方向への移動を確実に防止することができる。
【図面の簡単な説明】
【００１７】
【図１】アップライトピアノのアクションの全体構造図である。
【図２】（ａ）はバックチェックの側面図で、（ｂ）はキャッチャーが当接したときのバックチェックの側面図である。
【発明を実施するための形態】
【００１８】
以下に本発明の実施形態のアップライトピアノのアクション１について図面と共に説明する。
打弦時の動作について説明する。
【００１９】
本実施形態のアップライトピアノのアクション１は、図１に示すように、ウィッペン１０、ジャック１１、バット１２、ハンマー１３を主に備えている。
ウィッペン１０は、長尺な形状に形成されており、長手方向の一端が、鍵αよりも非演奏者側に配置されたセンターレール１６の下部にフレンジ１４を介して回動可能に固定されている。また、ウィッペン１０は、非押鍵時に水平に配置され、かつ長手方向の他端が、鍵αの非演奏者側の端部の上方に位置するように配置される。
【００２０】
このウィッペン１０は、鍵αが押鍵されて、非演奏者側の端部が持ち上がると、鍵αに装着されたキャプスタンボタン１５により、長手方向の遊端側がセンターレール１６を始点に上方に押し上げられて、図１中の反時計方向に回動する。
【００２１】
ジャック１１は、Ｌ字状に形成されており、Ｌ字をなす長短２つの辺のうち長尺な辺の遊端が上方を向き、かつ、ウィッペン１０の中央部から上方に向かって延設されたジャックフレンジ１７の上端に対し、Ｌ字に折れた部分を支点として回動するように、回動可能に固定されている。
【００２２】
バット１２は、バットフレンジ１９に回動自在に取付けられ、鍵αが押鍵されて、ジャック１１で突き上げられると、図１中の反時計方向に回動する。
ハンマー１３は、非押鍵時にバット１２から演奏者側に傾いた状態で上方に向かって延設されているハンマーシャンク１８の先端に固定されている。
【００２３】
このように構成されたアクション１では、鍵αを押鍵すると、鍵αの非演奏者側の端部が持ち上がり、これに伴いウィッペン１０の演奏者側の端部が持ち上がって、ジャック１１が上方に向かって突き上げられる。
【００２４】
このジャック１１が突き上げられると、バット１２が反時計回りに回転し、このバット１２の回転に伴ってハンマー１３が、図１中の反時計方向に回転して弦βを打弦する。
次に、打弦後の動作について説明する。
【００２５】
本実施形態のアクション１は、上記構成の他に、キャッチャー２０、バックチェック３０を備えている。
キャッチャー２０は、ハンマーシャンク１８に対してＬ字を描く方向にバット１２から延設されたキャッチャーシャンク２１を備え、このキャッチャーシャンク２１の先端に固定されている。
【００２６】
バックチェック３０は、ウィッペン１０がフレンジ１４に回動可能に固定されている点から見て、ジャックフレンジ１７が固定されている点よりも、さらに演奏者側のウィッペン１０上から立設されており、非押鍵時、キャッチャー２０に対向する位置に配置されるとともに、キャッチャー２０よりも上下方向に幅広な大きさに形成されている。
【００２７】
そして、キャッチャー２０及びバックチェック３０には、互いに対向する側の面に、フェルト２２、３２が積層されている。
本実施形態のアクション１では、打弦が行われると、ハンマー１３が、非演奏者側に移動する。また、このハンマー１３の移動に合わせて、キャッチャー２０も、バット１２を介して、センターレール１６を支点に時計回りに回動する。
【００２８】
このとき、バックチェック３０は、ウィッペン１０の遊端側が上方に向かって回動するのに伴って上昇しており、打弦後、時計回りに回動するキャッチャー２０は、この上昇したバックチェック３０と当接して停止する。
【００２９】
その後、鍵αを押している指が鍵αから離れ、鍵αの非演奏者側の端部が下方に移動すると、ウィッペン１０、ジャック１１等が下方に下がるなどして、各器具が、押鍵時に鍵αの動作をハンマー１３に伝えるために必要な位置に配置される。
【００３０】
次に、バックチェック３０に積層されたフェルト３２について詳細に説明する。
本実施形態のバックチェック３０に積層されたフェルト３２は、図２（ａ）に示すように、キャッチャー２０に対向する側の面は段差のない面一な形状に形成されているが、上下方向の中央部（以下「移動防止部位」と呼ぶ）３４が、この移動防止部位３４の上下の部分３５，３６と比較して柔らかい硬度となるよう構成されている。
【００３１】
打弦後、キャッチャー２０がバックチェック３０に当接するとき、キャッチャー２０が図１中の時計回りに回動しているため、キャッチャー２０はバックチェック３０のフェルト３２上を滑るようにして当接する。
【００３２】
そして、キャッチャー２０は、移動防止部位３４に当接する位置まで滑ると移動防止部位３４を弾性変形させ、移動防止部位３４が凹むことによって形成された窪みに嵌り、この窪みに捕まれるようにして移動を停止する。
【００３３】
移動防止部位３４は、キャッチャー２０がバックチェック３０に対向する面に対して遊びを有する形状に形成されており、上下方向には、１〜２ｍｍほどの大きい範囲に形成されている。
【００３４】
以上のように構成されたアップライトピアノのアクション１は、以下のような効果を有する。
本実施形態では、キャッチャー２０が打弦後に当接してバックチェック３０の当接面上を滑って移動し、移動防止部位３４に対向する位置までくると、この移動防止部位３４を押して窪ませ、この窪みにキャッチャー２０が入り、キャッチャー２０の上下方向への移動が阻止される。
【００３５】
従って、本実施形態のバックチェック３０を用いると、キャッチャー２０が移動防止部位３４の窪みに入ることで上下方向への移動が阻止されるので、二度打ちが発生しないようキャッチャー２０を確実に静止することができる。
【００３６】
また、本実施形態のように構成すると、バックチェック３０の当接面が面一に形成されているので、当接面に突起を設けた場合に比べて、当接面の耐久性を向上することができる。
【００３７】
また、本実施形態のように構成すると、キャッチャー２０が窪みに入ることで、移動防止部位３４が構成する窪みに摘まれたような状態で固定されるので、キャッチャー２０の上下方向への移動を確実に防止することができる。
【００３８】
本発明は、特許請求の範囲に記載された発明の趣旨に合致するものであればよく、上述の実施形態に限定されるものではない。
【符号の説明】
【００３９】
１…アクション、１０…ウィッペン、１１…ジャック、１２…バット、１３…ハンマー、１４…フレンジ、１５…キャプスタンボタン、１６…センターレール、１７…ジャックフレンジ、１８…ハンマーシャンク、１９…バットフレンジ、２０…キャッチャー、２１…キャッチャーシャンク、２２…フェルト、３０…バックチェック、３２…フェルト、３４…移動防止部位、α…鍵、β…弦。
【図１】
2012208407.tif 000003
【図２】
2012208407.tif 000004